(57)【要約】      （修正有）【課題】収納されたイヤホン頭部及びコード、ジャックは、再利用の時は始めにジャックを解き、次にコードを解き放し、最後にイヤホン頭部を取り出して機器にジャックを接続すると再利用がすばやくできる収納具を提供する。【解決手段】収納具本体１にイヤホン頭部収納空間部４と、コード案内切欠部５と、コード巻き付け凹部が一体的に設けられているので、先ずイヤホン頭部８を収納空間部に収納し保護し、次にコード案内切欠部５よりコードを導き、コード巻き付け凹部に巻き付けることにより、コードとイヤホンの絡む等の煩わしさから解放される。【選択図】図４
0003147358.tif 000002
【実用新案登録請求の範囲】
【請求項１】
適度な柔軟性と硬度を有した一枚の手の平サイズの皮革、合成皮革、合成樹脂等適宜素材を二つに折って縦長の袋状にし、縦長両端を互いに揃えて係止部材で係止し、収納具本体を構成し、該収納具本体下端小開口部内から上部中間部内より上端開口部に向かって略ラッパ状に開口したイヤホン頭部収納空間部を構成し、上記係止部側縁中間部にコード巻き付け凹部を形成、該凹部逆側面下端にコード巻き付け案内切欠部を設け、一体的に構成した事を特徴とするイヤホン頭部及びコード収納具。
【請求項２】
請求項１記載の係止部材を除き、イヤホン頭部及びコード収納具を合成樹脂等で一体形成した事を特徴とする、請求項１記載のイヤホン頭部及びコード収納具。
【考案の詳細な説明】
【技術分野】
【０００１】
本考案は、略ラッパ状に開口したイヤホン頭部収納空間部と、コード巻き付け凹部を一体的に設けた、イヤホン頭部及びコードの収納具に関するものである。
【背景技術】
【０００２】
携帯用音響機器等で、イヤホン使用後はコード巻き取りケースで収納するか、手で丸めてポケット、鞄等に入れて収納するか、又音響機器本体にコードを巻き付けて収納していたのが実情である。
また、市販はされていないが次のような特許文献もある。
【特許文献１】特開平１１ー３１７９９５号公報
【特許文献２】特開２００６ー３４５４６９号公報
【考案の開示】
【考案が解決しようとする課題】
【０００３】
その為、コード先端に取り付けられたイヤホン頭部は、振動によってバッグや鞄の中で動き、バッグや鞄の中に収納されている他の物と当たったりして破損したり、又イヤホン頭部とコードが絡み合って使用の度に時間を掛けて絡み合ったコードを解かねばならないといった不具合が生じ、前述の欠点を解決しようとするものである。
【課題を解決するための手段】
【０００４】
上記課題を解決するため、適度な柔軟性と硬度を有した一枚の手の平サイズの皮革、合成皮革、合成樹脂等適宜素材を二つに折って縦長の袋状にし、縦長両端を互いに揃えてホック、面ファスナー、マグネット係止具等適宜係止部材で係止、収納具本体を開閉自在とする。
【０００５】
収納具本体下端小開口部内から上部中間部内より、上部上端開口部に向かって略ラッパ状に開口したイヤホン頭部収納空間部を構成し、上記係止側縁逆側面下端にコード巻き付け案内切欠部を設け、上記係止部側縁中間部にコード巻き付け凹部を形成し、尚収納具本体の何れか一方の側面に洋服の衿等に係止出来るクリップ等の係止具を取り付けて構成する。
【考案の効果】
【０００６】
上述の様に本考案収納具本体は、イヤホン頭部を収納できるイヤホン頭部収納空間部と、コード巻き付け案内切欠部と、コード巻き付け凹部で構成されているので、イヤホン頭部及びコードの収納時は、イヤホン頭部はイヤホン頭部収納空間部に包み込まれるように収納され破損から守られ、コードはコード巻き付け案内切欠部を経て、コード巻き付け凹部に導き巻き付ける事によりコードも損傷を妨げられ、残りジャックをコードが巻き付けられた間に挿入係止すれば一連の収納作業を終了することが出来、上述のような効果が得られる。
【０００７】
尚、イヤホン頭部は収納具本体内コード巻き付け凹部内部で挟止収納保護される。又再利用の時は収納具本体に取り付けられているクリップ等係止具で洋服の衿等に取り付けて、収納時の逆の手順で先ずジャックを抜き取り、コードを解き放し、イヤホン頭部をイヤホン頭部収納空間部より取り出し、ジャックを機器に接続すればすばやく再利用が楽しめる。
【考案の実施するための最良の形態】
【０００８】
一枚の手の平サイズの皮革、合成皮革、合成樹脂等適宜素材を二つに折って縦長の袋状にし、縦長両端を互いに揃えてホック、面ファスナー、マグネット係止部材で係止し適宜係止部材で係止、収納具本体を開閉自在とするか、又接着剤で合着、ミシン等で縫合、熱で融止、孔を複数あけて革紐で編む等の係止部材で係止する収納具本体とすることもある。
【０００９】
縦長収納具本体下端小開口部内から上部中間部内より、上部上端開口部に向かって略ラッパ状に開口したイヤホン頭部収納空間部と、縦長収納具本体係止部側縁中間部にコード巻き付け凹部と、該凹部逆側面下端にコードを導き巻き付けるためのコード巻き付け案内切欠部を設け、ホック等の係止具で開閉自在とした収納具本体の係止具を解き開き、先ずコードを収納具本体内にセットし、収納具本体を閉じて係止具で係止保持し、コードを引き寄せイヤホン頭部をイヤホン頭部収納空間部に収納、次にコードをコード巻き付け案内切欠部より導き、コード巻き付け凹部に巻き付けて、最後にジャックを巻き付けられたコードの間に挿入係止する。
【００１０】
尚、上記収納具本体に収納されたイヤホン頭部及びコード、ジャックは、再利用の時は始めにジャックを解き、次にコードを解き放し、最後にイヤホン頭部を取り出して機器にジャックを接続すれば再利用がすばやくできる。
尚、一枚の手の平サイズの皮革等を二つに折って縦長の袋状にし、端を互いに揃えて接着剤等で合着した場合に限らず、収納具本体内部は袋状に構成されているので、収納具本体内部全体が空洞に構成されているため、ジャック及びコードはラッパ状に開口したイヤホン頭部収納空間部より下端小開口部迄、挿通可能に構成されている。
【実施例】
【００１１】
以下図面に従って一実施例を説明する。
１は適度な柔軟性と硬度を有した一枚の手の平サイズの皮革、合成皮革、合成樹脂等適宜素材を二つに折って縦長の袋状に構成、２及び２aは係止部材で上記素材を二つに折った縦長の袋状両端を互いに揃えてホック、面ファスナー、マグネット係止具等、適宜部材を取り付けて係止し、収納具本体を開閉自在とする。
３は収納具本体１の下端小開口部で、下記略ラッパ状に開口したイヤホン頭部収納空間部４より約半分位の小開口部、４は下端小開口部３内から上部中間部内より上部上端開口部に向かって略ラッパ状に開口したイヤホン頭部収納空間部、５はコード案内切欠部、６はコード巻き付け凹部、７は収納具本体１の何れか一方の側面に取り付けたクリップ等の係止具、８はイヤホン頭部、９はコード、１０はジャック。
【００１２】
尚、図６で示すように、上記記載の収納具本体１の係止部材２、２a及びクリップ等係止具７を除き合成樹脂等にて一体形成することも勿論出来る。
【００１３】
本考案の実施例を図４で示す。
収納具本体１にイヤホン頭部８、コード９、ジャック１０が収納された図４にて説明する。
イヤホン頭部８は略ラッパ状に開口したイヤホン頭部収納空間部４に収納され、コード９はコード巻き付け案内切欠部５より導かれ、コード巻き付け凹部６に巻き付けられ、ジャック１０は巻き付けられたコード９の間に挿入係止されて収納される。
【００１４】
上記収納具本体１にイヤホン頭部８、コード９、ジャック１０が収納状態の収納具本体１の側面に取り付けられているクリップ７等を用いて図３に示すように洋服の衿等に取り付けて、先ずジャック１０を抜き解き、次にコード９を解き放し、最後にイヤホン頭部８を取り出し、ポケット、鞄等に収納された音響機器を取り出し、ジャック１０を接続すれば、すばやく音楽等が楽しめることが出来る。
【００１５】
又、収納具本体１はイヤホン頭部収納空間部４にイヤホン頭部８を収納し、コード９はコード巻き付け案内切欠部５を経てコード巻き付け凹部６に収納され、ジャック１０は収納されたコード９の間に挿入係止されるので、その収納状態で鞄、バッグ、ポケット等に収納されてもイヤホン頭部８は、イヤホン頭部収納空間部４に収納されているので、他の品物と接触してもイヤホン頭部は保護され、コード９も絡む事なく収納され、再利用時のイヤホン頭部８と、コード９の絡み等の煩わしさから解放される。
【図面の簡単な説明】
【００１６】
【図１】本考案のイヤホン頭部及びコードの収納具の一実施例を示す平面展開図である。
【図２】平面図である。
【図３】一部使用状態を示す斜視図である。
【図４】収納状態を示す斜視参考図である。
【図５】使用状態を示す参考図である。
【図６】係止具を取り除いた平面図である。
【符号の説明】
【００１７】
１  収納具本体
２、2a  係止部材
３  下端小開口部
４  イヤホン頭部収納空間部
５  コード案内切欠部
６  コード巻き付け凹部
７  洋服等に取り付ける係止具
８  イヤホン頭部
９  コード
１０  ジャック
【図１】
0003147358.tif 000003
【図２】
0003147358.tif 000004
【図３】
0003147358.tif 000005
【図４】
0003147358.tif 000006
【図５】
0003147358.tif 000007
【図６】
0003147358.tif 000008